(57)【要約】【課題】蓋の略中央部に覗き窓を設け、回転ドラム内の被乾燥物の乾燥状態が可視できるようにして使用性を向上するとともに、覗き窓の気密の信頼性を確保する。【解決手段】ボデー１の開口部７を閉塞する蓋８は、略中央部に窓部１０を一体に形成した外蓋１１と、透明樹脂性の窓カバー１２と、外蓋１１の裏面側で外周端部を保持される耐熱ガラス製の窓ガラス１４と、窓ガラス１４と対応する位置で略同等の透孔１５を有し開口部７と略同等の大きさの不燃材からなる中蓋１６と、外周に開口部７を気密保持するパッキング１７を装着した透明の内蓋１８とから構成され、蓋８には、外側より窓カバー１２、窓ガラス１４、内蓋１８からなる３重構造の覗き窓１９が形成され、内蓋１８が、外蓋１１に中蓋１６を挟み込んで固着されることにより、パッキング１７は、内蓋１６と外蓋１１間に挟持固定されてその内蓋１６と外蓋１１間を気密保持する。【選択図】図１
2005137920.tif 000002
【特許請求の範囲】
【請求項１】
被乾燥物を収納する回転ドラムと、前記回転ドラムを駆動するモータと、前記回転ドラム内の被乾燥物を加熱する加熱装置と、前記回転ドラムを覆い前面に開口部を有するボデーと、前記ボデーの開口部を閉塞する蓋とを備え、前記蓋は、略中央部に凹部とこの凹部内に設けた窓部とを一体に形成した外蓋と、前記凹部に嵌合保持される透明樹脂性の窓カバーと、前記外蓋の裏面側で前記窓部の近傍に設けたリブに外周端部を保持される耐熱ガラス製の窓ガラスと、前記窓ガラスと対応する位置で略同等の透孔を有し前記開口部と略同等の大きさの不燃材からなる中蓋と、外周に前記開口部を気密保持するパッキングを装着した透明樹脂製の内蓋とから構成され、前記蓋には、外側より前記窓カバー、窓ガラス、内蓋からなる３重構造の覗き窓が形成され、前記内蓋が、前記外蓋に前記中蓋を挟み込んで固着されることにより、前記内蓋が前記窓ガラスを押圧するとともに、前記内蓋の外周に装着されたパッキングは、前記内蓋と外蓋間に挟持固定されてその内蓋と外蓋間を気密保持するよう構成した衣類乾燥機。
【発明の詳細な説明】
【技術分野】
【０００１】
本発明は、被乾燥物を収納した回転ドラムをモータにより駆動し、加熱装置により回転ドラム内の被乾燥物を乾燥する衣類乾燥機に関する。
【背景技術】
【０００２】
従来、この種の衣類乾燥機は、図５に示すように構成していた。以下、その構成について説明する。
【０００３】
図に示すように、ボデー１０１は、乾燥機本体の外郭を形成するもので、内部に衣類（被乾燥物）を収納する回転ドラム１０２を回転自在に設け、この回転ドラム１０２をモータ１０３により駆動する。蓋１０４は、不透明材で形成されボデー１０１の開口部を閉塞するもので、気密を保持し内蓋１０５に装着されたパッキング１０６を有し、鉄板などの不燃材により形成された中蓋１０７を内蓋１０５を介してねじなどにより固着していた。
【発明の開示】
【発明が解決しようとする課題】
【０００４】
しかしながら、このような従来の構成では、蓋１０４が、不透明材で形成されているため、回転ドラム１０２内の被乾燥物の乾燥状態を外から見ることができないという問題があった。
【０００５】
本発明は上記課題を解決するもので、蓋の略中央部に覗き窓を設けて、回転ドラム内の被乾燥物の乾燥状態が可視できるようにして使用性を向上させるとともに、覗き窓の気密の信頼性を確保することを目的としている。
【課題を解決するための手段】
【０００６】
上記従来の課題を解決するために、本発明の衣類乾燥機は、被乾燥物を収納する回転ドラムと、前記回転ドラムを駆動するモータと、前記回転ドラム内の被乾燥物を加熱する加熱装置と、前記回転ドラムを覆い前面に開口部を有するボデーと、前記ボデーの開口部を閉塞する蓋とを備え、前記蓋は、略中央部に凹部とこの凹部内に設けた窓部とを一体に形成した外蓋と、前記凹部に嵌合保持される透明樹脂性の窓カバーと、前記外蓋の裏面側で前記窓部の近傍に設けたリブに外周端部を保持される耐熱ガラス製の窓ガラスと、前記窓ガラスと対応する位置で略同等の透孔を有し前記開口部と略同等の大きさの不燃材からなる中蓋と、外周に前記開口部を気密保持するパッキングを装着した透明樹脂製の内蓋とから構成され、前記蓋には、外側より前記窓カバー、窓ガラス、内蓋からなる３重構造の覗き窓が形成され、前記内蓋が、前記外蓋に前記中蓋を挟み込んで固着されることにより、前記内蓋が前記窓ガラスを押圧するとともに、前記内蓋の外周に装着されたパッキングは、前記内蓋と外蓋間に挟持固定されてその内蓋と外蓋間を気密保持するよう構成したものである。
【０００７】
これにより、蓋の略中央部に覗き窓を設けて、回転ドラム内の被乾燥物の乾燥状態が可視できるようにして使用性を向上させるとともに、複雑なシール構成が不要となり、部品点数や組立工数の削減が図れ、蓋および覗き窓の気密の信頼性を確保することができる。
【発明の効果】
【０００８】
本発明の衣類乾燥機は、蓋の略中央部に覗き窓を設けて、回転ドラム内の被乾燥物の乾燥状態が可視できるようにして使用性を向上させるとともに、複雑なシール構成が不要となり、部品点数や組立工数の削減が図れ、蓋および覗き窓の気密の信頼性を確保することができる。
【発明を実施するための最良の形態】
【０００９】
第１の発明は、被乾燥物を収納する回転ドラムと、前記回転ドラムを駆動するモータと、前記回転ドラム内の被乾燥物を加熱する加熱装置と、前記回転ドラムを覆い前面に開口部を有するボデーと、前記ボデーの開口部を閉塞する蓋とを備え、前記蓋は、略中央部に凹部とこの凹部内に設けた窓部とを一体に形成した外蓋と、前記凹部に嵌合保持される透明樹脂性の窓カバーと、前記外蓋の裏面側で前記窓部の近傍に設けたリブに外周端部を保持される耐熱ガラス製の窓ガラスと、前記窓ガラスと対応する位置で略同等の透孔を有し前記開口部と略同等の大きさの不燃材からなる中蓋と、外周に前記開口部を気密保持するパッキングを装着した透明樹脂製の内蓋とから構成され、前記蓋には、外側より前記窓カバー、窓ガラス、内蓋からなる３重構造の覗き窓が形成され、前記内蓋が、前記外蓋に前記中蓋を挟み込んで固着されることにより、前記内蓋が前記窓ガラスを押圧するとともに、前記内蓋の外周に装着されたパッキングは、前記内蓋と外蓋間に挟持固定されてその内蓋と外蓋間を気密保持するよう構成した衣類乾燥機とすることにより、回転ドラム内の被乾燥物の乾燥状態が可視できるようになり、使用性を向上させることができるとともに、一般的に考えられる窓部の気密を保持するための複雑なシール構成が不要となり、部品点数や組立工数の削減が図れ、さらに、蓋の気密の信頼性を確保することができる。
【００１０】
（実施の形態１）
以下、本発明の第１の実施の形態を図１から図３を参照しながら説明する。
【００１１】
図１に示すように、ボデー１は、内部に衣類を攪拌するリフターを有する回転ドラム２を回転自在に設け、回転ドラム２は、ボデー１内の後面で回転自在に軸支され、前面で円環状の回転ドラム支持板（軸受け部）３の外周フランジ部で摺動支持し、モータ４、ドラムベルト５によって駆動され、ＰＴＣヒータ（加熱装置）６により回転ドラム２内に流入する乾燥用空気を加熱する。ボデー１の前面には衣類を投入する開口部７を設け、この開口部７を開閉する蓋８をボデー１に回動自在に係止している。
【００１２】
蓋８は、図２に示すように、略中央部に凹部９とこの凹部９内の穴である窓部１０とを一体に形成した外蓋１１と、この凹部９に爪などにより嵌合保持される透明樹脂性の窓カバー１２と、外蓋１１の裏面側で窓部１０の近傍に設けた保持用リブ（リブ）１３に外周端部を保持される耐熱ガラス製の窓ガラス１４と、この窓ガラス１４と対応する位置で略同等の透孔１５を有し、開口部７と略同等の大きさで鉄板などの不燃材からなる中蓋１６と、外周に開口部７を気密保持する第１のパッキング１７を装着した透明樹脂製の内蓋１８とから構成されており、外側より窓カバー１２、窓ガラス１４、内蓋１８からなる３重構造の覗き窓１９を備えている。内蓋１８は、外蓋１１に設けられたボスに中蓋１６を挟み込んでねじなどにより固着され、窓ガラス１４を押圧している。
【００１３】
上記構成において作用を説明すると、被乾燥物を収納し乾燥させる回転ドラム２の開口部７を閉塞する蓋８は、透明樹脂製の窓カバー１２、耐熱ガラス製の窓ガラス１４、透明樹脂製の内蓋１８から形成された３重構造の覗き窓１９を備えているため、回転ドラム２内の被乾燥物の乾燥状態が可視できるようになり使用性を向上させることができる。
【００１４】
また、蓋８は、外蓋１１の略中央部の凹部９に嵌合保持される透明樹脂製の窓カバー１２を爪などにより保持し、この外蓋１１の裏面に保持用リブ（リブ）１３で位置決めされた耐熱ガラス製の窓ガラス１４、不燃材からなる中蓋１６、透明樹脂製の内蓋１８を順次積層する構成となっているため、組立および分解作業性がきわめてよく、組立工数の削減や組立の自動化およびサービス性の向上を図ることができる。
【００１５】
また、窓ガラス１４は、樹脂製の外蓋１１と内蓋１８とにより押圧保持されているため、金属などの保持に対し応力を小さくでき、窓ガラス１４の割れ、欠けなどを防止することができる。
【００１６】
また、内蓋１８が透明樹脂により覗き窓１９の内側部を形成しているため、一般的に考えられる窓部の気密を保持するための複雑なシール構成が不要となり、部品点数や組立工数の削減が図れ、さらに、蓋８の気密の信頼性を確保することができる。
【００１７】
また、回転ドラム２内の被乾燥物の低温発火時には、ボデー１の開口部７と同等の大きさの不燃材からなる中蓋１６とその透孔１５をカバーする耐熱ガラス製の窓ガラス１４とにより、開口部７からの発火を防止でき、類焼を防止することができる。
【００１８】
（実施の形態２）
つぎに、本発明の第２の実施の形態を図４を参照しながら説明する。なお、上記第１の実施の形態と同じ構成のものは同一符号を付して説明を省略する。
【００１９】
図に示すように、第２のパッキング２０は、ボデー１と回転ドラム支持板（軸受け部）３との気密を保持している。第１のパッキング１７の回転ドラム２内への臨接面２１は、この第２のパッキング２０の内周部２２と樹脂製の内蓋１８に一体に設けた環状リブ２３とにより覆われ、回転ドラム２内に衣類などの被乾燥物が接触しない程度の可視可能な状態で露出しないようにしている。
【００２０】
上記構成において作用を説明すると、第１のパッキング１７の回転ドラム２内への臨接面２１は、内蓋１８に設けた環状リブ２３と第２のパッキング２０の内周部２２とにより覆われているため、回転ドラム２内に露出せず、第１のパッキング１７と被乾燥物の接触を防止することができ、被乾燥物の摺動摩擦による第１のパッキング１７の摩耗を防止でき、耐久性を向上させることができる。
【００２１】
また、被乾燥物の摺動摩擦による第１のパッキング１７の摩耗が防止できるので、第１のパッキング１７に対し耐摩耗性の低い低コストの材料の使用が可能となることはいうまでもない。
【産業上の利用可能性】
【００２２】
以上のように、本発明にかかる衣類乾燥機は、回転ドラム内の被乾燥物の乾燥状態が可視できるようになり使用性を向上させるとともに、複雑なシール構成が不要となり、部品点数や組立工数の削減が図れ、蓋および覗き窓の気密の信頼性を確保することが可能となるので、衣類の乾燥機能を有し、覗き窓を有した衣類乾燥機等として有用である。
【図面の簡単な説明】
【００２３】
【図１】本発明の実施の形態１の衣類乾燥機の縦断面図
【図２】同衣類乾燥機の蓋の分解斜視図
【図３】同衣類乾燥機の要部拡大断面図
【図４】本発明の実施の形態２の衣類乾燥機の要部拡大断面図
【図５】従来の衣類乾燥機の縦断面図
【符号の説明】
【００２４】
１  ボデー
２  回転ドラム
４  モータ
６  ＰＴＣヒータ（加熱装置）
７  開口部
８  蓋
１２  窓カバー
１３  保持用リブ（リブ）
１４  窓ガラス
１５  透孔
１６  中蓋
１８  内蓋
１９  覗き窓
【図１】
2005137920.tif 000003
【図２】
2005137920.tif 000004
【図３】
2005137920.tif 000005
【図４】
2005137920.tif 000006
【図５】
2005137920.tif 000007